(57)【要約】【課題】暑がり寒がりなどの個人的な特性を考慮した温度調整が可能な空気調和機を提供する。【解決手段】空気調和機１００は、室内Ｒを温度調整する空気調和部１０３と、室内Ｒの使用者Ｐが発する赤外線に基づいて熱画像Ｇ１、Ｇ２、Ｇ３を撮影するサーモカメラ１０２と、室内Ｒの室内温を測定する室内温測定部（熱画像解析部１０４）と、熱画像Ｇ１、Ｇ２、Ｇ３から使用者Ｐに相当する人体領域Ａ１、Ａ２、Ａ３を抽出し、当該人体領域Ａ１、Ａ２、Ａ３の人体領域温度を検出する熱画像解析部１０４と、熱画像解析部１０４が検出した人体領域温度と、室内温測定部が測定した測温結果とに基づいて空気調和部１０３を制御する制御部１１０とを備え、制御部１１０は、第一期間に取得した人体領域温度及び測温結果と、第一期間よりも後の第二期間に取得した人体領域温度及び測温結果とに基づいて、第二期間における空気調和部の温度調整を制御する。【選択図】図２
2019143931.tif 000002
【特許請求の範囲】
【請求項１】
室内を温度調整する空気調和部と、
前記室内の使用者が発する赤外線に基づいて熱画像を撮影するサーモカメラと、
前記室内の室内温を測定する室内温測定部と、
前記熱画像から前記使用者に相当する人体領域を抽出し、当該人体領域の人体領域温度を検出する熱画像解析部と、
前記熱画像解析部が検出した前記人体領域温度と、前記室内温測定部が測定した測温結果とに基づいて前記空気調和部を制御する制御部とを備え、
前記制御部は、第一期間に取得した前記人体領域温度及び前記測温結果と、前記第一期間よりも後の第二期間に取得した前記人体領域温度及び前記測温結果とに基づいて、前記第二期間における前記空気調和部の温度調整を制御する
空気調和機。
【請求項２】
前記制御部は、前記第一期間の終了直前の前記人体領域温度と前記測温結果との差分から放熱量基準値を計測し、前記第二期間では、当該放熱量基準値が維持されるように、前記空気調和部の温度調整を制御する
請求項１に記載の空気調和機。
【請求項３】
前記第一期間は、前記使用者が就寝し入眠前の期間であり、
前記第二期間は、前記使用者の入眠後の期間である
請求項１または２に記載の空気調和機。
【請求項４】
前記熱画像解析部は、前記熱画像に基づいて前記使用者に対する寝具の状態を検出し、
前記制御部は、前記第一期間での前記寝具の状態に基づいて、前記第一期間の前記空気調和部の温度調整を制御する
請求項１〜３のいずれか一項に記載の空気調和機。
【請求項５】
室外の室外温を測定する室外温測定部を備え、
前記制御部は、前記第一期間において、前記空気調和部の温度調整の基本となる第一の基本設定温度が、前記室外温測定部の測定結果を基準とした所定範囲内にある場合には、前記第一の基本設定温度よりも低い第二の基本設定温度に基づいて前記空気調和部の温度調整を制御する
請求項１〜４のいずれか一項に記載の空気調和機。
【請求項６】
報知部を備え、
前記制御部は、前記第二の基本設定温度に基づいて前記空気調和部の温度制御を行う際に、前記人体領域温度と前記測温結果との差分である放熱量が所定値よりも大きい場合には、前記報知部を制御して、前記放熱量を下げるような行動を促す報知を行う
請求項５に記載の空気調和機。
【請求項７】
前記制御部は、前記第二の基本設定温度に基づいて前記空気調和部の温度制御を行う際に、前記人体領域温度と前記測温結果との差分である放熱量が所定値よりも大きい場合には、前記報知部を制御して、前記使用者が使用中の寝具よりも熱抵抗の高い寝具の使用を推奨する報知を行う
請求項６に記載の空気調和機。
【請求項８】
寝具の種類を取得して、当該寝具の熱抵抗を推定する熱抵抗推定部を備え、
前記制御部は、前記熱抵抗推定部が推定した熱抵抗を、前記使用者が使用中の寝具の熱抵抗とする
請求項７に記載の空気調和機。
【請求項９】
前記寝具の識別番号を取得する識別番号取得部と、
前記寝具の識別番号と当該寝具の熱抵抗とを関連付けて記憶する記憶部とを備え、
前記熱抵抗推定部は、前記識別番号取得部が取得した前記識別番号に対応する前記熱抵抗を前記記憶部から読み出すことで、前記使用者が使用中の寝具の熱抵抗を推定する
請求項８に記載の空気調和機。
【請求項１０】
前記熱抵抗推定部は、前記熱画像の所定地点での寝具の有無による温度差に基づいて、当該寝具の熱抵抗を推定する
請求項８に記載の空気調和機。
【請求項１１】
前記制御部は、前記第一期間の開始時の前記人体領域を基準領域として記憶しており、次回以降については、前記熱画像解析部が抽出した前記人体領域が、前記基準領域に近似している場合には、前記第一期間を開始する
請求項１〜１０のいずれか一項に記載の空気調和機。
【請求項１２】
前記室内の照度を検出する照度センサを備え、
前記制御部は、前記照度センサが検出した照度が所定値以下となった場合には、前記第一期間を開始する
請求項１〜１１のいずれか一項に記載の空気調和機。
【請求項１３】
前記熱画像解析部は、前記人体領域の特徴点を抽出し、
前記制御部は、前記人体領域の前記特徴点の変位量に基づいて、前記第一期間と前記第二期間とのそれぞれの開始タイミングを判定する
請求項１〜１２のいずれか一項に記載の空気調和機。
【請求項１４】
前記制御部は、前記特徴点の変位量が第一閾値以下となった場合に前記第一期間を開始する
請求項１３に記載の空気調和機。
【請求項１５】
前記制御部は、前記特徴点の変位量が前記第一閾値よりも小さい第二閾値以下となった場合に前記第二期間を開始する
請求項１４に記載の空気調和機。
【請求項１６】
前記制御部は、前記第一期間が開始してから所定時間経過したときに前記第二期間を開始する
請求項１〜１５のいずれか一項に記載の空気調和機。
【請求項１７】
報知部を備え、
前記制御部は、前記報知部を制御して、前記使用者に対して入眠に導く報知を行う
請求項１〜１６のいずれか一項に記載の空気調和機。
【発明の詳細な説明】
【技術分野】
【０００１】
本発明は、空気調和機に関する。
【背景技術】
【０００２】
従来、睡眠中の人の体動を検出することで、当該体動に基づいて温度制御が行われる空気調和機が知られている（例えば、特許文献１参照）。
【先行技術文献】
【特許文献】
【０００３】
【特許文献１】特開２０１４−１４７０８号公報
【発明の概要】
【発明が解決しようとする課題】
【０００４】
しかしながら、人の体動を検出して温度制御を行ったとしても、人には暑がり、寒がりなどの個人的な特性があるために、その人に適した温度調整が行われないのが実情である。
【０００５】
そこで、本発明は、暑がり寒がりなどの個人的な特性を考慮した温度調整が可能な空気調和機を提供することである。
【課題を解決するための手段】
【０００６】
本発明の一態様に係る空気調和機は、室内を温度調整する空気調和部と、室内の使用者が発する赤外線に基づいて熱画像を撮影するサーモカメラと、室内の室内温を測定する室内温測定部と、熱画像から使用者に相当する人体領域を抽出し、当該人体領域の人体領域温度を検出する熱画像解析部と、熱画像解析部が検出した人体領域温度と、室内温測定部が測定した測温結果とに基づいて空気調和部を制御する制御部とを備え、制御部は、第一期間に取得した人体領域温度及び測温結果と、第一期間よりも後の第二期間に取得した人体領域温度及び測温結果とに基づいて、第二期間における空気調和部の温度調整を制御する。
【０００７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本発明の空気調和機によれば、暑がり寒がりなどの個人的な特性を考慮した温度調整が可能である。
【図面の簡単な説明】
【０００９】
【図１】図１は、実施の形態に係る空気調和機の使用状況を示す説明図である。
【図２】図２は、実施の形態に係る空気調和機の構成ブロックを示すブロック図である。
【図３】図３は、実施の形態に係るサーモカメラが撮影した熱画像の一例を示す説明図である。
【図４】図４は、実施の形態に係るサーモカメラが撮影した熱画像の一例を示す説明図である。
【図５】図５は、実施の形態に係るサーモカメラが撮影した熱画像の一例を示す説明図である。
【図６】図６は、実施の形態に係る制御部の温度調整の制御の流れを示すフローチャートである。
【図７】図７は、実施の形態に係る人体領域温度と室内温との関係を示すグラフである。
【図８】図８は、実施の形態に係る第二期間中の温度調整制御時おける温度変化を示すグラフである。
【発明を実施するための形態】
【００１０】
本発明の一態様に係る空気調和機は、室内を温度調整する空気調和部と、室内の使用者が発する赤外線に基づいて熱画像を撮影するサーモカメラと、室内の室内温を測定する室内温測定部と、熱画像から使用者に相当する人体領域を抽出し、当該人体領域の人体領域温度を検出する熱画像解析部と、熱画像解析部が検出した人体領域温度と、室内温測定部が測定した測温結果とに基づいて空気調和部を制御する制御部とを備え、制御部は、第一期間に取得した人体領域温度及び測温結果と、第一期間よりも後の第二期間に取得した人体領域温度及び測温結果とに基づいて、第二期間における空気調和部の温度調整を制御する。
【００１１】
これによれば、制御部は、第一期間に取得した人体領域温度及び測温結果と、第二期間に取得した人体領域温度及び測温結果とに基づいて、第二期間における空気調和部の温度調整を制御する。つまり、第二期間での温度調整には、第二期間よりも前の第一期間に取得した人体領域温度及び測温結果が反映されている。人体領域の人体領域温度と、測温結果（室内温）とによって、使用者の放熱量を推定することができる。この放熱量には個人差があるが、第二期間よりも前の第一期間では、空気調和機の起動時に近い期間であるために、使用者が入眠している可能性は第二期間よりも小さい。このため、第一期間では、使用者自身が空気調和機の設定温度を決めており、使用者にとって快適な温度環境が実現できているものと推測できる。一方、第二期間では、第一期間よりも使用者が眠っている可能性が高く、その場合には、使用者自身が空気調和機の設定温度を変更することはできない。しかし、上述したように、第一期間に取得した人体領域温度及び測温結果が、第二期間の温度調整に反映されていれば、第二期間においても個人的な特性を考慮した温度調整が可能である。
【００１２】
例えば、制御部は、第一期間の終了直前の人体領域温度と測温結果との差分から放熱量基準値を計測し、第二期間では、当該放熱量基準値が維持されるように、空気調和部の温度調整を制御する。
【００１３】
これによれば、第二期間では、第一期間終了直前の使用者の放熱量基準値が維持されるように温度調整が行われるので、使用者にとって快適な温度環境を示す放熱量基準値に基づいて、第二期間での温度調整を行うことができる。
【００１４】
例えば、第一期間は、使用者が就寝し入眠前の期間であり、第二期間は、使用者の入眠後の期間である。
【００１５】
これによれば、第一期間は使用者の入眠前の期間であり、第二期間は使用者の入眠後の期間であるので、入眠後であっても個人的な特性を考慮した温度調整が可能である。
【００１６】
例えば、熱画像解析部は、熱画像に基づいて使用者に対する寝具の状態を検出し、制御部は、第一期間での寝具の状態に基づいて、第一期間の空気調和部の温度調整を制御する。
【００１７】
第一期間で使用者自身が空気調和機の設定温度を決めていたとしても、使用者が寝具を退けたりかけたりすることで自ら温度調整を行う場合もある。この場合、寝具の状態が使用者の快適な温度環境を示しているとも言える。上述したように、制御部が、第一期間での寝具の状態に基づいて空気調和部の温度調整を制御すれば、第一期間では使用者にとって快適な温度環境が実現される。第一期間で使用者の快適な温度環境が実現されていれば、第一期間で取得した人体領域温度及び測温結果も使用者にとって適切なものとなるため、第二期間での温度調整も使用者にとってより快適に行うことができる。
【００１８】
例えば、空気調和機は、室外の室外温を測定する室外温測定部を備え、制御部は、第一期間において、空気調和部の温度調整の基本となる第一の基本設定温度が、室外温測定部の測定結果を基準とした所定範囲内にある場合には、第一の基本設定温度よりも低い第二の基本設定温度に基づいて空気調和部の温度調整を制御する。
【００１９】
ここで、空気調和部の温度調整の基本となる基本設定温度が、室外温に近い温度であると、冷風運転と停止とを繰り返すために室内温が短時間に激しく変動する。この現象をハンチングというが、ハンチングは睡眠中の使用者の発汗と、汗の乾きとを繰り返し誘発するために、使用者の寝冷えの原因となる。しかしながら、第一の基本設定温度が室外温測定部の測定結果を基準とした所定範囲内にある場合、つまりハンチングが発生しやすい状況の場合には、制御部は、第一の基本設定温度よりも低い第二の基本設定温度に基づいて空気調和部の温度調整を制御する。これにより、ハンチングの発生を抑制することができ、使用者の寝冷えを抑えることができる。
【００２０】
例えば、空気調和機は、報知部を備え、制御部は、第二の基本設定温度に基づいて空気調和部の温度制御を行う際に、人体領域温度と測温結果との差分である放熱量が所定値よりも大きい場合には、報知部を制御して、放熱量を下げるような行動を促す報知を行う。
【００２１】
これによれば、第二の基本設定温度に基づいて空気調和部の温度調整が制御されると、室内温が下がることになる。このため、人体領域の放熱量が高まり、人は寒さを感じやすくなる。人体領域の放熱量が所定値以上となれば、放熱量を下げるような行動を促す報知が報知部から使用者に対して行われるので、使用者は、寝具をかけたり、より熱抵抗の高い寝具に交換したりすることができる。
【００２２】
例えば、制御部は、第二の基本設定温度に基づいて空気調和部の温度制御を行う際に、人体領域温度と測温結果との差分である放熱量が所定値よりも大きい場合には、報知部を制御して、使用者が使用中の寝具よりも熱抵抗の高い寝具の使用を推奨する報知を行う。
【００２３】
これによれば、第二の基本設定温度に基づいて空気調和部の温度調整が制御されると、室内温が下がることになる。このため、人体領域の放熱量が高まり、人は寒さを感じやすくなる。人体領域の放熱量が所定値以上となれば、使用中の寝具よりも熱抵抗の高い寝具の使用を使用者に対して推奨する報知が報知部から行われるので、使用者は、より熱抵抗の高い寝具に交換するきっかけを得ることができる。
【００２４】
例えば、空気調和機は、寝具の種類を取得して、当該寝具の熱抵抗を推定する熱抵抗推定部を備え、制御部は、熱抵抗推定部が推定した熱抵抗を、使用者が使用中の寝具の熱抵抗とする。
【００２５】
これによれば、制御部は、寝具の種類を取得することで、使用者が使用中の寝具の熱抵抗を推定することができる。これにより、制御部は、現在使用中の寝具の熱抵抗を把握することができ、報知の正確性を高めることができる。例えば、寝具の交換を促す場合には、現在使用中の寝具よりも熱抵抗の高い寝具の種類を提案することも可能である。
【００２６】
例えば、空気調和機は、寝具の識別番号を取得する識別番号取得部と、寝具の識別番号と当該寝具の熱抵抗とを関連付けて記憶する記憶部とを備え、熱抵抗推定部は、識別番号取得部が取得した識別番号に対応する熱抵抗を記憶部から読み出すことで、使用者が使用中の寝具の熱抵抗を推定する。
【００２７】
これによれば、熱抵抗推定部は、識別番号取得部が取得した識別番号に対応する熱抵抗を記憶部から読み出すことで、使用者が使用中の寝具の熱抵抗を推定するので、現在使用中の寝具の熱抵抗をより確実に推定することができる。
【００２８】
例えば、熱抵抗推定部は、熱画像の所定地点での寝具の有無による温度差に基づいて、当該寝具の熱抵抗を推定する。
【００２９】
これによれば、熱抵抗推定部は、熱画像の所定地点での寝具の有無による温度差に基づいて、当該寝具の熱抵抗を推定するので、実際の寝具の熱抵抗を推定することができる。
【００３０】
例えば、制御部は、第一期間の開始時の人体領域を基準領域として記憶しており、次回以降については、熱画像解析部が抽出した人体領域が、基準領域に近似している場合には、前記第一期間を開始する。
【００３１】
これによれば、制御部は、第一期間の開始時の人体領域を基準領域として記憶しており、次回以降については、熱画像解析部が抽出した人体領域が、基準領域に近似している場合に第一期間を開始する。これにより、次回以降については、制御部が自動で第一期間の開始タイミングを判定することができる。
【００３２】
例えば、空気調和機は、室内の照度を検出する照度センサを備え、制御部は、照度センサが検出した照度が所定値以下となった場合には、前記第一期間を開始する。
【００３３】
これによれば、制御部は、照度センサが検出した照度が所定値以下となった場合に第一期間を開始するので、室内の照度に基づいて第一期間の開始タイミングを判定することができる。
【００３４】
例えば、熱画像解析部は、人体領域の特徴点を抽出し、制御部は、人体領域の特徴点の変位量に基づいて、第一期間と第二期間とのそれぞれの開始タイミングを判定する。
【００３５】
ここで、人体領域とは使用者に相当する領域であるため、当該人体領域の特徴点の変位は、使用者の動きを表していると言える。つまり、制御部は、人体領域の特徴点の変位量に基づいて第一期間と第二期間とのそれぞれの開始タイミングを判定することで、実際の使用者の動きに基づいて第一期間と第二期間とのそれぞれの開始タイミングを判定することができる。したがって、実際の使用者の動き（状態）を反映した温度調整が可能となる。
【００３６】
例えば、制御部は、特徴点の変位量が第一閾値以下となった場合に前記第一期間を開始する。
【００３７】
これによれば、制御部は、特徴点の変位量が第一閾値以下となった場合に第一期間を開始するので、活動時よりも使用者の動きが小さくなる就寝タイミングを判断して第一期間を開始することができる。
【００３８】
例えば、制御部は、特徴点の変位量が第一閾値よりも小さい第二閾値以下となった場合に第二期間を開始する。
【００３９】
これによれば、制御部は、特徴点の変位量が第二閾値以下となった場合に第二期間を開始するので、就寝時よりも使用者の動きが小さくなる入眠タイミングを判断して第二期間を開始することができる。
【００４０】
例えば、制御部は、第一期間が開始してから所定時間経過したときに第二期間を開始する。
【００４１】
これによれば、制御部は、第一期間が開始してから所定時間経過したときに第二期間を開始するので、第一期間の開始後に所定時間経過すれば確実に第二期間を開始することができる。
【００４２】
例えば、空気調和部は、報知部を備え、制御部は、報知部を制御して、使用者に対して入眠に導く報知を行う。
【００４３】
これによれば、報知部が使用者に対して入眠に導く報知を行うので、使用者を入眠に導くことができる。
【００４４】
以下、実施の形態について、図面を参照しながら具体的に説明する。
【００４５】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４６】
図１は、実施の形態に係る空気調和機１００の使用状況を示す説明図である。図２は、実施の形態に係る空気調和機１００の構成ブロックを示すブロック図である。
【００４７】
図１に示すように、空気調和機１００は、例えば室内Ｒの壁に取り付けられており、室内Ｒの温度調整を行う。図２に示すように、空気調和機１００は、空気調和機本体１０１と、リモコン１２０とを備えている。
【００４８】
空気調和機本体１０１は、室内Ｒの空気調和を行う本体部である。空気調和機本体１０１は、サーモカメラ１０２と、空気調和部１０３と、熱画像解析部１０４と、室外温測定部１０５と、記憶部１０６と、熱抵抗推定部１０７と、照度センサ１０８と、通信部１０９と、制御部１１０を備えている。
【００４９】
空気調和部１０３は、室内Ｒから取り込んだ空気に対して、冷媒の温熱又は冷熱を伝達して空調空気を生成し、当該空等空気を室内Ｒに供給することで、室内Ｒを温度調整する。
【００５０】
サーモカメラ１０２は、空気調和機１００の送風口の近傍に設けられている（図１参照）。サーモカメラ１０２は、赤外線による撮像により室内Ｒの熱画像を撮影する。室内Ｒに使用者Ｐが存在している場合には、サーモカメラ１０２は、当該使用者が発する赤外線を含んだ熱画像を撮影する。具体的には、サーモカメラ１０２は、赤外線のうち、中赤外線及び遠赤外線による撮像を行うことで熱画像を取得している。つまり、サーモカメラ１０２は、使用者Ｐが発した中赤外線及び遠赤外線を測定する。
【００５１】
図３〜図５は、実施の形態に係るサーモカメラ１０２が撮影した熱画像の一例を示す説明図である。図３〜図５は、ベッド２００に寝転んだ状態の使用者Ｐを含んだ熱画像Ｇ１、Ｇ２、Ｇ３を示している。図３〜５では、温度の高い部分が濃い色で、温度が低い部分が薄い色で示されている。図３〜図５において、熱画像Ｇ１中の線Ｌ１、Ｌ２、Ｌ３は、使用者Ｐの外形線に相当し、当該線Ｌ１、Ｌ２、Ｌ３により囲まれた領域が、使用者Ｐに相当する人体領域Ａ１、Ａ２、Ａ３となる。なお、この線Ｌ１、Ｌ２、Ｌ３は、サーモカメラ１０２で撮像された熱画像Ｇ１、Ｇ２、Ｇ３には元々含まれておらず、後述する熱画像解析部１０４の抽出処理によって取得される。また、図４、図５に示す点線Ｌ１１、Ｌ１２は、寝具を模式的に示している。
【００５２】
図３の場合では、使用者Ｐは寝具をかけていないため、使用者Ｐの全体的な外形が明瞭に熱画像Ｇ１に現れている。図４の場合では、使用者Ｐは、下半身に薄手の寝具をかけているため、熱画像Ｇ２では、寝具からはみ出た部分が色濃く、寝具に覆われた部分は薄くなっている。図５の場合では、使用者Ｐは、下半身に厚手の寝具をかけているために、熱画像Ｇ３では、寝具からはみ出た部分が色濃く、寝具に覆われた部分は図４の場合よりも薄くなっている。人体に寝具をかけたとしても、使用者Ｐから放射される赤外線は完全に遮られていないことが分かる。
【００５３】
熱画像解析部１０４は、熱画像Ｇ１、Ｇ２、Ｇ３から使用者Ｐに相当する人体領域Ａ１、Ａ２、Ａ３を抽出し、当該人体領域Ａ１、Ａ２、Ａ３の人体領域温度を検出する。人体領域温度は、人体領域Ａ１、Ａ２、Ａ３の面積に対する平均温度である。熱画像解析部１０４は、例えば、熱画像Ｇ１、Ｇ２、Ｇ３に対してエッジ処理を施すことで、使用者Ｐの外形線に相当する線Ｌ１、Ｌ２、Ｌ３を特定し、当該線Ｌ１、Ｌ２、Ｌ３の内部を人体領域Ａ１、Ａ２、Ａ３として抽出する。なお、この画像抽出処理は、周知のその他の手法を用いることが可能である。また、熱画像解析部１０４は、熱画像Ｇ１、Ｇ２、Ｇ３のうち、人体領域Ａ１、Ａ２、Ａ３とは異なる背景領域を用いて、室内Ｒの室内温を測定する。具体的には、熱画像解析部１０４は、背景領域の面積に対する平均温度を算出し、当該平均温度を室内温とする。熱画像解析部１０４は、検出した人体領域Ａ１、Ａ２、Ａ３の人体領域温度と、測定した室内Ｒの室内温とを制御部１１０に出力する。
【００５４】
このように、熱画像解析部１０４は、室内Ｒの室内温を測定する室内温測定部の一例である。つまり、熱画像解析部１０４が測定した室内温は、測温結果である。なお、室内温を直接測定する温度センサを、室内温測定部としてもよい。
【００５５】
室外温測定部１０５は、室内Ｒの外である室外の室外温を測定する。具体的には、室外温測定部１０５は、室外機に設けられ、室外温を測定する温度センサである。なお、外気を取り込む流路内に配置され当該外気の温度を測定する温度センサを室外温測定部１０５とすることも可能である。この場合、測定された外気の温度が室外温となる。
【００５６】
記憶部１０６は、寝具の識別番号と当該寝具の熱抵抗とを関連付けて記憶するメモリまたはストレージである。寝具の識別番号は、寝具の種類を識別できる番号のことであり、例えば、寝具の製造番号などが挙げられる。記憶部１０６は、各識別番号に対応した熱抵抗をそれぞれ記憶していてもよいし、寝具の種類（例えば布団、毛布、タオルケットなど）に対応した熱抵抗を記憶していてもよい。
【００５７】
熱抵抗推定部１０７は、寝具の種類を取得して、当該寝具の熱抵抗を推定する。具体的には、熱抵抗推定部１０７は、後述するリモコン１２０の識別番号取得部１２３が取得した寝具の識別番号に対応する熱抵抗を記憶部１０６から読み出すことで、使用者Ｐが使用中の寝具の熱抵抗を推定する。熱抵抗推定部１０７は、推定した寝具の熱抵抗を制御部１１０に出力する。
【００５８】
照度センサ１０８は、室内Ｒの照度を検出する照度センサである。照度センサ１０８は、検出した照度を制御部１１０に出力する。
【００５９】
通信部１０９は、リモコン１２０からの制御信号を受信するとともにリモコン１２０に対して制御信号を発信する。具体的には、通信部１０９は、例えば、リモコン１２０が赤外線式リモコンである場合には、赤外線通信が可能な赤外線通信部である。一方、通信部１０９は、リモコン１２０がスマートフォンなどの携帯端末または無線式リモコンである場合には、無線通信が可能な無線通信部である。ここで、無線通信は、電波（すなわち、可視光及び赤外光を除く）を用いた通信である。
【００６０】
制御部１１０は、通信部１０９が受信した制御信号に基づいて、各部を制御する。制御部１１０による具体的な制御については、後述する。なお、制御部１１０、熱画像解析部１０４、熱抵抗推定部１０７の一部または全部は、空気調和機本体１０１に備わるプロセッサ（不図示）がプログラムを実行することでソフトウェア的に実現されてもよいし、専用回路によりハードウェア的に実現されてもよい。また、上記構成要素が処理に用いる情報は、空気調和機本体１０１が備えるメモリ（不図示）又はストレージ（不図示）に格納されているとする。
【００６１】
リモコン１２０は、空気調和機本体１０１を操作するためのリモコンである。リモコン１２０は、操作部１２１と、報知部１２２と、識別番号取得部１２３と、通信部１２４とを備えている。
【００６２】
操作部１２１は、機械的なスイッチ群またはタッチパネルであり、使用者Ｐからの各種操作を受け付ける。例えば、操作部１２１が操作されることにより、空気調和機本体１０１の空気調和部１０３の温度調整の基本となる第一の基本設定温度が設定される。
【００６３】
報知部１２２は、空気調和機本体１０１の通信部１０９から受信した制御信号に基づいて、種々の情報を報知する。具体的には、報知部１２２は、スピーカなどの音声出力部、表示パネルまたはタッチパネルなどの表示部である。なお、報知部は、空気調和機本体１０１に設けられていてもよい。
【００６４】
識別番号取得部１２３は、寝具の識別番号を取得する。具体的には、識別番号取得部１２３は、バーコードリーダや、ＩＣタグリーダーであり、寝具に備わるバーコードやＩＤタグを読み取ることで、当該寝具の識別番号を取得する。なお、識別番号取得部は、操作部１２１であってもよい。この場合、使用者Ｐが操作部１２１を操作して、寝具の識別番号を直接入力することで、操作部１２１（識別番号取得部）が寝具の識別番号を取得する。
【００６５】
通信部１２４は、空気調和機本体１０１の通信部１０９と通信を行う。具体的には、通信部１２４は、操作部１２１が操作されたことにより作成された制御信号と、識別番号取得部１２３が取得した寝具の識別番号とを、空気調和機本体１０１の通信部１０９に対して発信する。また、通信部１２４は、空気調和機本体１０１の通信部１０９から発信された制御信号を受信する。通信部１２４は、例えば、リモコン１２０が赤外線式リモコンである場合には、赤外線通信が可能な赤外線通信部である。一方、通信部１２４は、リモコン１２０がスマートフォンなどの携帯端末または無線式リモコンである場合には、無線通信が可能な無線通信部である。
【００６６】
次に、制御部１１０による温度調整の制御について説明する。図６は、実施の形態に係る制御部１１０の温度調整の制御の流れを示すフローチャートである。
【００６７】
まず、ステップＳ１では、制御部１１０は、熱画像解析部１０４が検出した人体領域Ａ１、Ａ２、Ａ３の人体領域温度と、室内Ｒの室内温との取得を開始する。これにより、制御部１１０は、空気調和機本体１０１が起動している間、人体領域Ａ１、Ａ２、Ａ３と、室内温とを所定の時間ピッチ（例えば１秒間、１０秒間、１分間など）毎に取得する。
【００６８】
ステップＳ２では、制御部１１０は、第一の基本設定温度に基づいて、空気調和部１０３を制御する。
【００６９】
ステップＳ３では、制御部１１０は、第一期間の開始タイミングとなったか否かを判断する。ここで、第一期間とは、使用者Ｐが就寝し入眠する前の期間である。つまり、第一期間は、使用者Ｐがベッド２００に横たわったものの、まだ入眠していない期間である。一般的に、使用者Ｐが就寝する場合、使用者Ｐは、室内Ｒの照明を暗くする。このため、制御部１１０は、照度センサ１０８が検出した室内Ｒの照度が所定値以下となった場合に、第一期間の開始タイミングとなったと判断して、ステップＳ４に移行する。一方、制御部１１０は、照度センサ１０８が検出した照度が所定値よりも大きい場合には第一期間の開始タイミングではないと判断して、現在の状態を継続する。
【００７０】
次いで、制御部１１０は、第一の基本設定温度が、室外温測定部１０５の測定結果を基準とした所定範囲内にあるか否かを判断する（ステップＳ４）。ここで、一般的な空気調和機では、室外温に近い温度に設定されると、冷風運転と停止とを繰り返すこととなり、室内Ｒの温度が激しく変動する場合がある。この現象は「ハンチング」と呼ばれている。ハンチングによる室温の激しい変動では、室温が高まると使用者Ｐは発汗し、室温が下がると発汗が抑えられ汗が乾く。つまり、発汗と汗の乾きとが繰り返されることとなり、これが寝冷えの原因となる。このため、室外温測定部１０５の測定結果を基準とした所定範囲内に第一の基本設定温度が収まっている場合には、ハンチングが生じやすく、前記所定範囲外に第一の基本設定温度がある場合には、ハンチングは生じにくくなる。ハンチングが生じやすい所定範囲は、空気調和機１００の機種によって異なるため、各機種の設計時に各種実験、シミュレーション等を行うことにより適切な所定範囲が決定されているものとする。
【００７１】
そして、制御部１１０は、第一の基本設定温度が所定範囲以内にある場合にはステップＳ５に移行し、第一の基本設定温度が所定範囲外にある場合にはステップＳ８に移行する。
【００７２】
ステップＳ５では、制御部１１０は、第一の基本設定温度よりも低い第二の基本設定温度に基づいて、空気調和部１０３を制御する。これにより、ハンチングの発生が抑制される。第二の基本設定温度は、所定範囲の下限値よりも小さいと、ハンチングの発生を確実に抑制することができる。
【００７３】
ステップＳ６では、制御部１１０は、現時点での人体領域Ａ１、Ａ２、Ａ３の人体領域温度と、室内Ｒの室内温との差分である放熱量を算出し、当該放熱量が所定値よりも大きいか否かを判断する。この放熱量は、人体からの放熱量を表している。また、この放熱量に基づいて、使用者Ｐの温冷感を推定することが可能である。例えば、使用者Ｐからの放熱量が大きい場合には、使用者Ｐが感じる寒さが大きくなる。一方、使用者Ｐからの放熱量が小さい場合には、使用者Ｐが感じる温かさが大きくなる。ここで、所定値は、使用者Ｐが寒さを感じにくい値である。所定値は、空気調和機１００の使用環境、空気調和機１００の性能、使用者Ｐの個人特性などに応じて最適な値が異なるため、種々の実験、シミュレーション等を行うことにより適切な値が決定されているものとする。なお、使用者が、例えばリモコン１２０を操作することで自分に適切な所定値を登録できるようにしてもよい。そして、制御部１１０は、放熱量が所定値よりも大きい場合にはステップＳ７に移行し、放熱量が所定値以下である場合にはステップＳ８に移行する。
【００７４】
ステップＳ７では、制御部１１０は、使用者Ｐに対して放熱量を下げるような行動を促す報知を報知部１２２に行わせる。具体的には、制御部１１０は、放熱量を下げるような行動を促す報知を行うための制御信号を生成して通信部１０９から発信させる。当該制御信号をリモコン１２０の通信部１２４が受信すると、報知部１２２は制御信号に基づいて、放熱量を下げるような行動を促す報知を行う。
【００７５】
放熱量を下げるような行動を促す報知とは、使用者Ｐが感じる寒さを低減できる行動を促す報知である。放熱量を下げるような行動には、使用者Ｐが寝具をかけていない場合には寝具をかける第一動作、使用者Ｐが着衣を厚手のものに着替える第二動作、使用者Ｐが現在使用中の寝具から厚手の寝具（熱抵抗の高い寝具）に交換する第三動作などが含まれる。
【００７６】
第一動作を促す報知には、例えば「体に布団をかけてください」などが挙げられる。第二動作を促す報知には、例えば「暖かい服に着替えてください」などが挙げられる。第三動作を促す報知には、例えば「寝具を厚手のものに交換してください」などが挙げられる。なお、前述したように、熱抵抗推定部１０７によって、現在使用中の寝具の熱抵抗が推定されている場合には、制御部１１０は、現在使用中の寝具よりも熱抵抗の大きい寝具に交換することを、第三動作を促す報知に含ませてもよい。例えば、制御部１１０は、現在使用中の寝具がタオルケットである場合には、それよりも熱抵抗の高い毛布や布団に交換することを、第三動作を促す報知に含ませる。
【００７７】
ステップＳ８では、制御部１１０は、第二期間の開始タイミングとなったか否かを判断する。ここで、第二期間とは、使用者Ｐの入眠後の期間である。一般的に、使用者Ｐが就寝してから所定時間経過すると入眠する。このため、制御部１１０は、第一期間の開始タイミングから所定時間経過した場合に第二期間の開始タイミングとなったと判断して、ステップＳ９に移行する。一方、制御部１１０は、第一期間の開始タイミングから所定時間に達していない場合には、第二期間の開始タイミングではないと判断して、現在の状態を継続する。ここで、所定時間は、使用者Ｐが就寝してから入眠している可能性が高い期間である。所定時間は、使用者Ｐの個人特性などに応じて最適な値が異なるため、種々の実験、シミュレーション等を行うことにより適切な値が決定されているものとする。なお、リモコン１２０を操作することで、使用者Ｐが自分に適切な所定時間を登録できるようにしてもよい。
【００７８】
ステップＳ９では、制御部１１０は、熱画像解析部１０４が第一期間に取得した人体領域温度及び室内温と、第二期間に取得した人体領域温度及び室内温とに基づいて、第二期間における空気調和部１０３の温度調整を制御する。具体的には、制御部１１０は、第一期間の終了直前の人体領域温度と室内温との差分から放熱量基準値を計測し、第二期間では、当該放熱量基準値が維持されるように、空気調和部１０３の温度調整を制御する。
【００７９】
詳細に説明すると、まず制御部１１０は、第一期間の終了直前の人体領域温度と室内温とを求める。図７は、実施の形態に係る人体領域温度と室内温との関係を示すグラフである。図７に示すように、熱画像解析部１０４が取得した人体領域温度は、大抵の場合、室内温よりも高い。制御部１１０は、第二期間の開始タイミングの直前の所定期間内の人体領域温度の平均値と、室内温の平均値とをそれぞれ求め、その平均値同士の差分から放熱量基準値を求める。つまり、放熱量基準値は、第一期間の人体領域温度の平均値と、室内温の平均値とから求められている。第二期間の開始タイミングの直前の所定期間内の放熱量基準値を求めているのは、使用者Ｐが快適と感じる温度環境が再現できている可能性が高い期間であるからである。所定期間としては、第一期間よりも短い期間であればよいが、第一期間の全体を所定期間とすることも可能である。
【００８０】
制御部１１０は、第二期間においては、第二期間に取得した人体領域温度及び室内温の差分が放熱量基準値を維持するように、空気調和部１０３の温度調整を制御する。放熱量基準値を維持するとは、第二期間に取得した人体領域温度及び室内温の差分が放熱量基準値に略一致することをいう。略一致とは、放熱量基準値に対して前記差分が完全に一致することはもちろんのこと、放熱量基準値を基準とした±数％の範囲内に前記差分が収まっていることをいう。
【００８１】
図８は、実施の形態に係る第二期間中の温度調整制御時おける温度変化を示すグラフである。なお、図８においては、人体領域温度と室内温とのそれぞれの変動を簡素化して表現している。実際には、人体領域温度と室内温とは、図７に示すように細かに変動している。
【００８２】
図８に示すように、第二期間の開始タイミングから時間Ｔ１までは、使用者Ｐは、下半身にのみ寝具をかけているものとする（例えば図４参照）。第二期間の開始タイミングから時間Ｔ１までは、人体領域温度及び室内温の差分が放熱量基準値を維持している。そして、時間Ｔ１で使用者Ｐは寝具を上半身にかけたとする（例えば図５参照）。人体領域Ａ３に対して寝具が覆った領域が増加するため、時間Ｔ１からは人体領域温度が低下する。つまり、人体領域温度及び室内温の差分が放熱量基準値を下回る。制御部１１０は、空気調和部１０３の温度調整を制御して、室内温を現時点よりも低下させる（図８中、時間Ｔ２）。例えば、制御部１１０は、空気調和部１０３に対する設定温度を、時間Ｔ１時点の値よりも低くする。これにより、人体領域温度及び室内温の差分が放熱量基準値を維持する。
【００８３】
次いで、時間Ｔ３で使用者Ｐが上半身から寝具を退けたとする（例えば図４参照）。人体領域Ａ２に対して寝具が覆った領域が減少するため、時間Ｔ３からは人体領域温度が増加する。つまり、人体領域温度及び室内温の差分が放熱量基準値を上回る。制御部１１０は、空気調和部１０３の温度調整を制御して、室内温を現時点よりも増加させる（図８中、時間Ｔ４）。例えば、制御部１１０は、空気調和部１０３に対する設定温度を、時間Ｔ３時点の値よりも高くする。これにより、人体領域温度及び室内温の差分が放熱量基準値を維持する。
【００８４】
図６に示すように、ステップＳ１０では、制御部１１０は、通信部１０９を介してリモコン１２０から停止指示を示す制御信号を受信したか否かを判断し、受信した場合にはステップＳ１１に移行し、受信していない場合にはステップＳ９に移行する。つまり、停止指示を受信するまでは、ステップＳ９での温度制御が繰り返し実行されることになる。
【００８５】
ステップＳ１１では、制御部１１０は、空気調和部１０３を停止し、温度調整の制御を終了する。
【００８６】
以上のように、本実施の形態に係る空気調和機１００によれば、室内Ｒを温度調整する空気調和部１０３と、室内Ｒの使用者Ｐが発する赤外線に基づいて熱画像Ｇ１、Ｇ２、Ｇ３を撮影するサーモカメラ１０２と、室内Ｒの室内温を測定する室内温測定部（熱画像解析部１０４）と、熱画像Ｇ１、Ｇ２、Ｇ３から使用者Ｐに相当する人体領域Ａ１、Ａ２、Ａ３を抽出し、当該人体領域Ａ１、Ａ２、Ａ３の人体領域温度を検出する熱画像解析部１０４と、熱画像解析部１０４が検出した人体領域温度と、室内温測定部が測定した測温結果とに基づいて空気調和部１０３を制御する制御部１１０とを備え、制御部１１０は、第一期間に取得した人体領域温度及び測温結果と、第一期間よりも後の第二期間に取得した人体領域温度及び測温結果とに基づいて、第二期間における空気調和部の温度調整を制御する。
【００８７】
これによれば、制御部１１０は、第一期間に取得した人体領域温度及び測温結果と、第二期間に取得した人体領域温度及び測温結果とに基づいて、第二期間における空気調和部１０３の温度調整を制御する。つまり、第二期間での温度調整には、第二期間よりも前の第一期間に取得した人体領域温度及び測温結果が反映されている。人体領域の人体領域温度と、測温結果（室内温）とによって、使用者Ｐの放熱量を推定することができる。この放熱量には個人差があるが、第二期間よりも前の第一期間では、空気調和機１００の起動時に近い期間であるために、使用者Ｐが入眠している可能性は第二期間よりも小さい。このため、第一期間では、使用者Ｐ自身が空気調和機１００の設定温度を決めており、使用者Ｐにとって快適な温度環境が実現できているものと推測できる。一方、第二期間では、第一期間よりも使用者が眠っている可能性が高く、その場合には、使用者Ｐ自身が空気調和機１００の設定温度を変更することはできない。しかし、上述したように、第一期間に取得した人体領域温度及び測温結果が、第二期間の温度調整に反映されていれば、第二期間においても個人的な特性を考慮した温度調整が可能である。
【００８８】
また、制御部１１０は、第一期間の終了直前の人体領域温度と測温結果との差分から放熱量基準値を計測し、第二期間では、当該放熱量基準値が維持されるように、空気調和部の温度調整を制御する。
【００８９】
これによれば、第二期間では、第一期間終了直前の使用者Ｐの放熱量基準値が維持されるように温度調整が行われるので、使用者Ｐにとって快適な温度環境を示す放熱量基準値に基づいて、第二期間での温度調整を行うことができる。
【００９０】
また、第一期間は、使用者Ｐが就寝し入眠前の期間であり、第二期間は、使用者Ｐの入眠後の期間である。
【００９１】
これによれば、第一期間は使用者Ｐの入眠前の期間であり、第二期間は使用者Ｐの入眠後の期間であるので、入眠後であっても個人的な特性を考慮した温度調整が可能である。
【００９２】
また、空気調和機１００は、室外の室外温を測定する室外温測定部１０５を備え、制御部１１０は、第一期間において、空気調和部１０３の温度調整の基本となる第一の基本設定温度が、室外温測定部１０５の測定結果を基準とした所定範囲内にある場合には、第一の基本設定温度よりも低い第二の基本設定温度に基づいて空気調和部１０３の温度調整を制御する。
【００９３】
ここで、空気調和部１０３の温度調整の基本となる基本設定温度が、室外温に近い温度であると、冷風運転と停止とを繰り返すために室内温が短時間に激しく変動する。この現象をハンチングというが、ハンチングは睡眠中の使用者の発汗と、汗の乾きとを繰り返し誘発するために、使用者Ｐの寝冷えの原因となる。しかしながら、第一の基本設定温度が室外温測定部１０５の測定結果を基準とした所定範囲内にある場合、つまりハンチングが発生しやすい状況の場合には、制御部１１０は、第一の基本設定温度よりも低い第二の基本設定温度に基づいて空気調和部１０３の温度調整を制御する。これにより、ハンチングの発生を抑制することができ、使用者Ｐの寝冷えを抑えることができる。
【００９４】
また、空気調和機１００は、報知部１２２を備え、制御部１１０は、第二の基本設定温度に基づいて空気調和部１０３の温度制御を行う際に、人体領域温度と測温結果との差分である放熱量が所定値よりも大きい場合には、報知部１２２を制御して、放熱量を下げるような行動を促す報知を行う。
【００９５】
これによれば、第二の基本設定温度に基づいて空気調和部１０３の温度調整が制御されると、室内温が下がることになる。このため、人体領域Ａ１、Ａ２、Ａ３の放熱量が高まり、使用者Ｐは寒さを感じやすくなる。人体領域Ａ１、Ａ２、Ａ３の放熱量が所定値以上となれば、放熱量を下げるような行動を促す報知が報知部１２２から行われるので、使用者Ｐは、寝具をかけたり、より熱抵抗の高い寝具に交換したりすることができる。
【００９６】
また、制御部１１０は、第二の基本設定温度に基づいて空気調和部１０３の温度制御を行う際に、人体領域温度と測温結果との差分である放熱量が所定値よりも大きい場合には、報知部１２２を制御して、使用者Ｐが使用中の寝具よりも熱抵抗の高い寝具の使用を推奨する報知を行う。
【００９７】
これによれば、第二の基本設定温度に基づいて空気調和部１０３の温度調整が制御されると、室内温が下がることになる。このため、人体領域Ａ１、Ａ２、Ａ３の放熱量が高まり、使用者Ｐは寒さを感じやすくなる。人体領域Ａ１、Ａ２、Ａ３の放熱量が所定値以上となれば、使用中の寝具よりも熱抵抗の高い寝具の使用を推奨する報知が報知部１２２から行われるので、使用者Ｐは、より熱抵抗の高い寝具に交換するきっかけを得ることができる。
【００９８】
また、空気調和機１００は、寝具の種類を取得して、当該寝具の熱抵抗を推定する熱抵抗推定部１０７を備え、制御部１１０は、熱抵抗推定部１０７が推定した熱抵抗を、使用者Ｐが使用中の寝具の熱抵抗とする。
【００９９】
これによれば、制御部１１０は、寝具の種類を取得することで、使用者Ｐが使用中の寝具の熱抵抗を推定することができる。これにより、制御部１１０は、現在使用中の寝具の熱抵抗を把握することができ、報知の正確性を高めることができる。例えば、寝具の交換を促す場合には、現在使用中の寝具よりも熱抵抗の高い寝具の種類を提案することも可能である。
【０１００】
また、寝具の識別番号を取得する識別番号取得部１２３と、寝具の識別番号と当該寝具の熱抵抗とを関連付けて記憶する記憶部１０６とを備え、熱抵抗推定部１０７は、識別番号取得部１２３が取得した識別番号に対応する熱抵抗を記憶部１０６から読み出すことで、使用者Ｐが使用中の寝具の熱抵抗を推定する。
【０１０１】
これによれば、熱抵抗推定部１０７は、識別番号取得部１２３が取得した識別番号に対応する熱抵抗を記憶部１０６から読み出すことで、使用者Ｐが使用中の寝具の熱抵抗を推定するので、現在使用中の寝具の熱抵抗をより確実に推定することができる。
【０１０２】
また、空気調和機１００は、室内Ｒの照度を検出する照度センサ１０８を備え、制御部１１０は、照度センサ１０８が検出した照度が所定値以下となった場合には、第一期間を開始する。
【０１０３】
これによれば、制御部１１０は、照度センサ１０８が検出した照度が所定値以下となった場合に第一期間を開始するので、室内Ｒの照度に基づいて第一期間の開始タイミングを判定することができる。
【０１０４】
また、制御部１１０は、第一期間が開始してから所定時間経過したときに第二期間を開始する。
【０１０５】
これによれば、制御部１１０は、第一期間が開始してから所定時間経過したときに第二期間を開始するので、第一期間の開始後に所定時間経過すれば確実に第二期間を開始することができる。
【０１０６】
（その他）
以上のように、本出願において開示する技術の例示として、上記各実施の形態を説明した。しかしながら、各実施の形態における技術は、これに限定されず、適宜、変更、置き換え、付加、省略などを行った実施の形態にも適用可能である。また、上記各実施の形態で説明した各構成要素を組み合わせて、新たな実施の形態とすることも可能である。
【０１０７】
例えば、上記実施の形態では、照度センサ１０８が検出した照度が所定値以下となった場合に第一期間が開始される場合を例示した。しかし、他の事象をトリガーにして第一期間を開始してもよい。例えば、リモコン１２０の操作部１２１に対する操作をトリガーとして、制御部１１０が第一期間の開始タイミングを判断してもよい。具体的には、リモコン１２０の操作部１２１に例えば「就寝ボタン」を設け、当該就寝ボタンが使用者Ｐによって操作された場合に、制御部１１０は第一期間の開始タイミングと判断する。
【０１０８】
また、人体領域の特徴点の変位量をトリガーにして、第一期間と第二期間とのそれぞれの開始タイミングを判定してもよい。
【０１０９】
具体的には、熱画像解析部１０４は、人体領域の特徴点を抽出し、制御部１１０は、人体領域の特徴点の変位量に基づいて、第一期間と第二期間とのそれぞれの開始タイミングを判定する。人体領域の特徴点とは、当該人体領域の特徴が表れた点のことであり、例えば重心位置、最大放熱量点、熱重心位置などが挙げられる。人は、活動期においては動作量が大きく、安静期においては動作量が小さい。また、人が就寝した状態であっても、入眠の前に比べると、入眠後の人の動作量は小さい。つまり、人体領域の特徴点の変位量を用いれば、第一期間の開始タイミングと、第二期間の開始タイミングとのそれぞれを判定することができる。これにより、制御部１１０は、実際の使用者Ｐの動きに基づいて第一期間と第二期間とのそれぞれの開始タイミングを判定することができる。したがって、実際の使用者Ｐの動き（状態）を反映した温度調整が可能となる。
【０１１０】
例えば、制御部１１０は、特徴点の変位量が第一閾値以下となった場合に第一期間を開始する。このように、制御部１１０は、特徴点の変位量が第一閾値以下となった場合に第一期間を開始するので、活動時よりも使用者の動きが小さくなる就寝タイミングを判断して第一期間を開始することができる。
【０１１１】
また、制御部１１０は、特徴点の変位量が第一閾値よりも小さい第二閾値以下となった場合に第二期間を開始する。このように、制御部１１０は、特徴点の変位量が第二閾値以下となった場合に第二期間を開始するので、就寝時よりも使用者Ｐの動きが小さくなる入眠タイミングを判断して第二期間を開始することができる。
【０１１２】
また、制御部１１０は、第一期間の開始時の人体領域を基準領域として記憶しており、次回以降については、熱画像解析部１０４が抽出した人体領域が、基準領域に近似している場合には、第一期間を開始してもよい。
【０１１３】
これによれば、制御部１１０は、第一期間の開始時の人体領域を基準領域として記憶しており、次回以降については、熱画像解析部１０４が抽出した人体領域が、基準領域に近似している場合に第一期間を開始する。これにより、次回以降については、制御部１１０が自動で第一期間の開始タイミングを判定することができる。人体領域と基準領域とが近似しているか否かの判定は、人体領域と基準領域とのそれぞれの特徴点、外形形状、面積の少なくとも１つを比較することで行われる。
【０１１４】
なお、上記実施の形態では、制御部１１０は、第一期間において、第一の基本設定温度が室外温測定部１０５の測定結果を基準とした所定範囲内にある場合に、第一の基本設定温度よりも低い第二の基本設定温度に基づいて空気調和部１０３の温度調整を制御する場合を例示した。しかし、第一期間の温度調整は、寝具の状態に基づいて行ってもよい。
【０１１５】
例えば、一つの熱画像Ｇ１、Ｇ２、Ｇ３での人体領域Ａ１、Ａ２、Ａ３内の放熱量の変化は、寝具の有無によって大きく異なる。具体的には、熱画像Ｇ１のように、寝具をかけていない場合には、人体領域Ａ１内では放熱量は急峻に変化していない（図３参照）。一方、熱画像Ｇ２、Ｇ３のように寝具をかけている場合では、人体領域Ａ２、Ａ３内において寝具がある部分とない部分とでは急峻に放熱量が変化している（図４及び図５参照）。このように、熱画像解析部１０４は、一つの熱画像Ｇ１、Ｇ２、Ｇ３での人体領域Ａ１、Ａ２、Ａ３内の温度変化を解析することによって、使用者Ｐに対する寝具の状態を検出することが可能である。具体的には、使用者Ｐに対する寝具の状態とは、使用者Ｐが寝具によって覆われている面積または面積割合などである。この熱画像解析部１０４が検出した第一期間での寝具の状態に基づいて、制御部１１０は、第一期間の空気調和部１０３の温度調整を制御する。
【０１１６】
例えば、第一期間で使用者Ｐ自身が空気調和機１００の設定温度（第一の基本設定温度）を決めていたとしても、使用者Ｐが寝具を退けたりかけたりすることで自ら温度調整を行う場合もある。この場合、寝具の状態が使用者Ｐの快適な温度環境を示しているとも言える。上述したように、制御部１１０が、第一期間での寝具の状態に基づいて空気調和部１０３の温度調整を制御すれば、第一期間では使用者Ｐにとって快適な温度環境が実現される。第一期間で使用者Ｐの快適な温度環境が実現されていれば、第一期間で取得した人体領域温度及び測温結果も使用者Ｐにとって適切なものとなるため、第二期間での温度調整も使用者Ｐにとってより快適に行うことができる。
【０１１７】
また、上記実施の形態では、識別番号取得部１２３で取得した識別番号に基づいて、熱抵抗推定部１０７が現在使用中の寝具の熱抵抗を推定する場合を例示した。しかし、熱抵抗推定部１０７は、サーモカメラ１０２が撮影した熱画像内の所定地点での寝具の有無による温度差に基づいて、当該寝具の熱抵抗を推定することも可能である。この場合、識別番号取得部１２３を設けなくても、寝具の熱抵抗を推定することができる。
【０１１８】
熱画像内の所定地点では、寝具の有無によって温度差が生じる。例えば、第一期間より前である就寝前においては、寝具は大きく広げられておらず、第一期間になると就寝前よりも寝具は広げられる。熱抵抗推定部１０７は、第一期間の開始タイミングを境にして、熱画像内の所定地点での温度差を求めることにより、寝具の有無による温度差を取得する。そして、熱抵抗推定部１０７は、取得した温度差から寝具の熱抵抗を推定する。したがって、熱抵抗推定部１０７は、実際の寝具の熱抵抗を推定することができる。なお、この場合には、人体領域を排除して寝具の有無による温度差を取得するものとする。これにより、寝具の熱抵抗を正確に推定することが可能である。
【０１１９】
また、制御部１１０は、報知部１２２を制御して、使用者Ｐに対して入眠に導く報知を行ってもよい。
【０１２０】
これによれば、報知部１２２が使用者Ｐに対して入眠に導く報知を行うので、使用者Ｐを入眠に導くことができる。当該報知は、第一期間に実行することが適切である。また、当該報知には、睡眠しやすい呼吸法を案内する報知や、使用者Ｐが睡眠しやすい音楽を流す報知、睡眠しやすい環境を促す報知などが含まれる。睡眠しやすい環境を促す報知では、照度センサ１０８の検出結果が所定値よりも大きければ、制御部１１０は、報知部１２２を制御して消灯を促す報知を行う。また、空気調和機１００に対して音センサを設け、当該音センサの検出結果が所定値よりも大きければ、制御部１１０が報知部１２２を制御して、使用者Ｐに対して耳栓の使用を促す報知を行うようにしてもよい。
【０１２１】
また、上記実施の形態では、第一期間を入眠前の期間とし、第二期間を入眠後の期間とした場合について例示した。第一期間及び第二期間はこれに限定されない。例えば、瞑想は、睡眠とよく似た効果が人体に作用すると言われている。このため、第一期間を瞑想前の期間とし、第二期間を瞑想中の期間としてもよい。また、第一期間を使用者Ｐの活動期、第二期間を使用者Ｐの安静期としてもよい。
【０１２２】
また、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１２３】
以上、一つまたは複数の態様に係る空気調和機などについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０１２４】
本発明は、睡眠時における室内の温度調整を行う空気調和装置に対して利用可能である。
【符号の説明】
【０１２５】
１００  空気調和機
１０１  空気調和機本体
１０２  サーモカメラ
１０３  空気調和部
１０４  熱画像解析部
１０５  室外温測定部
１０６  記憶部
１０７  熱抵抗推定部
１０８  照度センサ
１０９、１２４  通信部
１１０  制御部
１２０  リモコン
１２１  操作部
１２２  報知部
１２３  識別番号取得部
２００  ベッド
Ａ１、Ａ２、Ａ３  人体領域
Ｇ１、Ｇ２、Ｇ３  熱画像
Ｌ１、Ｌ２、Ｌ３  線
Ｌ１１、Ｌ１２  点線
Ｐ  使用者
Ｒ  室内
Ｔ１、Ｔ２、Ｔ３、Ｔ４  時間
【図１】
2019143931.tif 000003
【図２】
2019143931.tif 000004
【図３】
2019143931.tif 000005
【図４】
2019143931.tif 000006
【図５】
2019143931.tif 000007
【図６】
2019143931.tif 000008
【図７】
2019143931.tif 000009
【図８】
2019143931.tif 000010